(57)【要約】【課題】イメージングオフセットは、位置合わせ不良の露光ユニットからもたらされるものであり、補償されない場合、理想的なドット位置からオフセットされた露光位置で受光ベルト上にドットを生成する。電子写真（ＥＰＧ）プリンタやコピー機などのイメージングシステムにおけるイメージングオフセットの問題点が克服される。【解決手段】本発明のイメージングオフセット補償方法は、まず、大きさと方向を含む距離であるイメージングオフセットを決定する。このイメージングオフセットは、理想的なドット位置を基準として決定される。次に、各露光ユニットのイメージングオフセットの大きさに基づいて時間係数が決定される。各露光ユニットが作動される時間は、各露光ユニットによって生成されるドットがその理想的なドット位置に一致するよう各時間係数によって修正される。
2004513814.tif 000002
【特許請求の範囲】
【請求項１】
イメージングシステム内の基板上に露光ユニットによって生成されるドットのイメージングオフセットを補償する方法であって、前記ドットは理想的なドット位置との位置合わせが不良の未補償のドット位置を有し、
前記イメージングオフセットを前記理想的なドット位置と前記未補償のドット位置との間の距離として決定するステップと、
前記未補償のドット位置を前記理想的なドット位置に一致させるステップと、を含む方法。
【請求項２】
請求項１において、
前記一致させるステップは、前記基板上でのドットの形成を前記イメージングオフセットに対応する時間だけ遅延させるステップを含む、方法。
【請求項３】
請求項１において、
前記一致させるステップは、前記イメージングオフセットに基づいて時間係数を決定するステップをさらに含む、方法。
【請求項４】
請求項３において、
前記時間係数を決定するステップは、前記イメージングオフセットの距離の大きさに比例する時間係数を決定するステップをさらに含む、方法。
【請求項５】
請求項１において、
前記決定するステップは、前記イメージングオフセットの距離の大きさを決定するステップをさらに含む、方法。
【請求項６】
請求項５において、
前記一致させるステップは、前記イメージングオフセットの距離の大きさに比例する時間係数を決定するステップをさらに含む、方法。
【請求項７】
請求項６において、
前記一致させるステップは、前記時間係数によって修正された時間に前記露光ユニットを作動させるステップをさらに含む、方法。
【請求項８】
請求項５において、
前記決定するステップは、前記イメージングオフセットの方向を決定するステップをさらに含む、方法。
【請求項９】
請求項８において、
前記一致させるステップは、前記イメージングオフセットの距離の大きさに比例し、かつ、前記イメージングオフセットの方向を示す符号を有する、時間係数を決定するステップをさらに含む、方法。
【請求項１０】
請求項９において、
前記一致させるステップは、前記時間係数によって修正される時間に前記露光ユニットを作動させるステップをさらに含む、方法。
【請求項１１】
請求項１において、
前記イメージングシステムは、理想的なドット位置との位置合わせが不良の未補償のドット位置を持つドットをそれぞれが生成する露光ユニットのアレイを有し、
前記決定するステップは、前記イメージングオフセットを、各露光ユニットについて、前記理想的なドット位置と前記未補償のドット位置との間の距離として決定するステップを含む、前記決定するステップを含み、
前記一致させるステップは、各露光ユニットについて、前記未補償のドット位置を前記理想的なドット位置に一致させるステップを含む、方法。
【請求項１２】
請求項１１において、
前記一致させるステップは、前記イメージングオフセットに基づいて各露光ユニットの時間係数を決定するステップをさらに含む、方法。
【請求項１３】
請求項１２において、
前記各露光ユニットをその時間係数で修正された時間に作動させて前記基板上に潜像を形成するステップをさらに含む、方法。
【請求項１４】
請求項１３において、
シート材上に前記潜像を現像するステップをさらに含む、方法。
【請求項１５】
請求項１において、
前記決定するステップは、前記イメージングオフセットをネットワークから抽出するステップをさらに含む、方法。
【請求項１６】
請求項１５において、
前記抽出するステップは、インターネットから前記イメージングオフセットを抽出するステップをさらに含む、方法。
【請求項１７】
イメージングオフセットのない画像を印刷するための電子写真（ＥＰＧ）モジュールであって、
基板と、
それぞれが前記基板上にドットを生成するための複数の露光ユニットを含む光源であって、
前記複数の露光ユニットは、他の前記露光ユニットと位置のずれた少なくとも１つの位置合わせ不良の露光ユニットを含み、
前記位置合わせ不良の各露光ユニットは、その各露光ユニットの位置合わせ不良を補償されない場合に、その各露光ユニットが前記未補償のドット位置と理想的なドット位置との間の定義された距離に相当するイメージングオフセットを持つように、未補償のドット位置でドットを生成する、光源と、
前記各露光ユニットの前記イメージングオフセットを格納するための記憶装置と、
前記記憶装置および前記光源と通信して、前記イメージングオフセットに基づいて、前記理想的なドット位置にドットを生成するように、前記位置合わせ不良な各露光ユニットを作動させるマッチング装置と、
を備える電子写真モジュール。
【請求項１８】
請求項１７において、
前記マッチング装置は、前記理想的なドット位置でドットを生成する理想的な作動時間よりも遅い時間に前記位置合わせ不良の各露光ユニットを作動させるための遅延装置を含む、電子写真モジュール。
【請求項１９】
請求項１７において、
前記記憶装置は、前記電子写真モジュールに固有の識別情報を格納する、電子写真モジュール。
【請求項２０】
請求項１７において、
前記基板が受光ベルトである、電子写真モジュール。
【請求項２１】
発光ダイオードプリントヘッド（ＬＰＨ）において、
基板上にそれぞれドットを生成するための複数の露光ユニットであり、
前記複数の露光ユニットは、他の前記露光ユニットと位置合わせのずれた少なくとも１つの位置合わせ不良の露光ユニットを含み、
前記位置合わせ不良の各露光ユニットは、その各露光ユニットの位置合わせ不良を補償されない場合に、その各露光ユニットが前記未補償のドット位置と理想的なドット位置との間の定義された距離に相当するイメージングオフセットを持つように、未補償のドット位置でドットを生成する、複数の露光ユニットと、
前記各露光ユニットの前記イメージングオフセットを格納するための記憶装置と、
前記記憶装置および前記光源と通信して、前記イメージングオフセットに基づいて、前記理想的なドット位置にドットを生成するように、前記位置合わせ不良な各露光ユニットを作動させるマッチング装置と、
を備える発光ダイオードプリントヘッド。
【請求項２２】
請求項２１において、
前記マッチング装置は、前記理想的なドット位置にドットを生成する理想的な作動時間よりも遅い時間に前記位置合わせ不良の各露光ユニットを作動させるための遅延装置を含む、発光ダイオードプリントヘッド。
【請求項２３】
請求項２１において、
前記記憶装置は、前記電子写真モジュールに固有の識別情報を格納する、発光ダイオードプリントヘッド。
【請求項２４】
イメージングシステムにおいて、
受光ベルトと、
それぞれが前記受光ベルト上にドットを生成するための複数の露光ユニットを含む光源であり、
前記複数の露光ユニットは、他の前記露光ユニットと位置合わせのずれた少なくとも１つの位置合わせ不良の露光ユニットを含み、
前記位置合わせ不良の各露光ユニットは、その各露光ユニットの位置合わせ不良を補償されない場合に、その各露光ユニットが前記未補償のドット位置と理想的なドット位置との間の定義された距離に対応するイメージングオフセットを持つように、未補償のドット位置でドットを生成する、光源と、
前記光源と通信を行い、前記イメージングオフセットに基づいて、前記理想的なドット位置でドットを生成するように、前記位置合わせ不良の各露光ユニットを作動させるプロセッサと、
を備えるイメージングシステム。
【請求項２５】
請求項２４において、
前記プロセッサは、前記理想的なドット位置にドットを生成する理想的な作動時間よりも遅い時間になるよう前記露光ユニットの作動を遅延させる、イメージングシステム。
【請求項２６】
コンピュータ読み取り可能な命令を記憶したコンピュータ読み取り可能なメモリであって、コンピュータシステムにロードされると、前記コンピュータシステムに、イメージングシステム内の基板上に露光ユニットによって生成されるドットのイメージングオフセットを補償する方法を実行させ、前記ドットは理想的なドット位置と位置ずれした未補償のドット位置を有し、前記方法は、
前記理想的なドット位置と前記未補償のドット位置との間の距離として前記イメージングオフセットを決定するステップと、
前記未補償のドット位置を前記理想的なドット位置に一致させるステップと、を含む、
コンピュータ読み取り可能なメモリ。
【発明の詳細な説明】
【０００１】
技術分野
本発明は、一般にイメージングシステムに関し、特に電子写真システム（例えばカラープリンタ）などのイメージングシステムにおけるドットまたは一連のドットのオフセットを補償するための方法およびシステムに関する。
【０００２】
背景技術
電子写真（ＥＰＧ）プリンタ、インクジェットプリンタ、およびレーザプリンタなどのイメージングシステムを設計する際において困難な点の一つは、「イメージングオフセット」と呼ばれる問題を克服することである。この問題があると、単色（すなわち白黒）および多色システムのいずれにおいても画質の劣化を招く。この問題の背景をより良く理解するため、電子写真プリンタの例を引きながらイメージングオフセットについて説明する。
【０００３】
一般に、イメージングオフセットは、画像形成のために電子写真（ＥＰＧ）プリンタ内で使用される発光ダイオード（ＬＥＤ）などの光源または露光ユニットの物理的な位置合わせ不良から起こる。光源は、製造中のエラーまたは製造後の電子写真プリンタへの損傷のいずれかによって位置合わせ不良になる場合がある。加えて、光源の完全な位置合わせを確保するには、厳格な製造公差を維持する必要があるが、これは困難であるとともにコスト増も招く。
【０００４】
プリンタまたはコピー機などの電子写真（ＥＰＧ）システムでは、ＬＥＤアレイなどの高輝度光源で受光器を露光することによって、受光器の荷電表面上に静電潜像が形成される。露光に先立って、受光器の表面が均一に荷電される。すると、ＬＥＤは印刷される画像に対応する荷電パターン（「潜像」と呼ばれる）を作る。この潜像は次に、受光器上の荷電パターンに荷電トナー粒子を付着させることによってトナー画像へと現像される。このトナー画像は、静電転写プロセスにより紙に移される。トナー画像は次に熱により紙に融合される。受光器は、次に、システムの次のイメージングサイクルに先立って、クリーニングされる。
【０００５】
イメージングオフセットは、電子写真（ＥＰＧ）イメージングプロセスにおいて、ＬＥＤが荷電パターンを作る時点で発生する。上記のように、ＬＥＤは、製造プロセス中（例、ＬＥＤチップの実装）、または、製造後における電子写真プリンタまたは他の中間装置への損傷（例：ＳＦＬエラー）によって、位置合わせ不良になることがある。位置合わせ不良のＬＥＤは、理想的な直線性からいろいろな距離でオフセットされる。この非直線的なアレイのＬＥＤから得られる画像は低品質である。
【０００６】
イメージングオフセットは、多色イメージングでも同様に発生する。多色電子写真（ＥＰＧ）複写および印刷では、上に説明した単色画像における電子写真プロセスが各々の色について繰り返し実行されることを必要とする。各色（イエロー、マゼンタ、シアン、ブラックなど）用の各ステーションが、特定色のトナーをつける。多色イメージングでは、高品質なカラー画像を作成するには、トナーパウダー画像が、ほぼ完全な重ね合わせ（位置合わせ）で互いに重ねる必要がある。重ね合わせ不良が発生すると、カラー画像がぼやけたり、また色調のずれが発生したり場合がある。その結果、位置合わせ不良のＬＥＤはこれらの重ね合わせに係わる問題を引き起こす。
【０００７】
上述した点に鑑み、先に述べた直線性および重ね合わせ合わせの問題を回避するために、イメージングオフセットを補償する方法およびシステムに対する必要性が存在する。
【０００８】
発明の概要
本発明は、従来型イメージングシステムのイメージングオフセットの欠点を克服し、イメージングオフセットのない、鮮明で切れのよい、真正色の画像を生成するイメージングシステムを提供する。
【０００９】
本発明の１つの態様では、イメージングシステム内の基板上に露光ユニットによって生成されるドットのイメージングオフセットを補償する方法。このドットは、未補償のドット位置と理想的なドット位置とを有する。この未補償のドット位置は、理想的なドット位置と位置がずれている。この位置合わせ不良を補償するために、イメージングオフセットは、理想的なドット位置と未補償のドット位置との間の距離として決定される。その決定されたイメージングオフセットに基づいて、次に、未補償のドット位置は、理想的なドット位置にマッチングされる。
【００１０】
本発明の利点のひとつは、イメージングプロセスの中でメージングオフセットが実質的に除去されることである。したがって、例えばプリンタやコピー機などで生成される画像は、鮮明で切れがよく、またエラーを含まない。さらに、カラーシステムで生成される画像は、色を重ねる上の重ね合わせの問題が発生しない。したがって、カラー画像は鮮明な真正色を提供する。
【００１１】
コスト削減も本発明のもう一つの利点である。特に、発光ダイオード（ＬＥＤ）プリンタヘッド（ＬＰＨ）などの生産時に厳格な製造公差を適用することによってイメージングオフセットを減らそうとするのが従来の手法である。これを遵守するには大きなコストを要し、またＬＰＨ内のダイオードのサイズと数を考えると究極的には成功に達することはない。本発明では、ＬＰＨのダイオードの位置合わせ不良があっても、イメージングオフセットを是正することができる。したがって、安価に製造されたＬＰＨを使用して、最高品質の画像を生成できるのである。
【００１２】
ドットを理想的なドット位置に一致させることは、イメージングオフセットに対応する時間だけ基板上でのドットの形成を遅延させることなどによって達成してもよい。あるいは、イメージングオフセットに基づく時間係数を決定してもよい。次に、時間係数によって修正された時間にドットを生成するよう露光ユニットを作動させてもよい。その時間係数は、イメージングオフセットの距離の大きさとイメージングオフセットの方向の両方に基づくものであってもよい。
【００１３】
本発明のもう一つの利点は、その方法論の適応性に関する。さらに具体的には、補償方法は、搭載された（オンボード）ソフトウェアモジュールによって実行されてもよい。代替的な実施形態では、本発明の方法は、離れた位置から実行されてもよい。この実施形態では、イメージングシステムは、ドットが理想的なドット位置に生成されるように露光ユニットを作動させるプロセッサと通信している。
【００１４】
本発明の他の態様、特徴、および利点は、添付図面と共に以下の説明を読むことにより本発明がより一層理解されるにつれて明らかとなる。
【００１５】
添付図面と共に詳細な説明を読むことで本発明がより一層理解されるにつれて、本発明およびその利点の多くのより完全な評価が容易に得られるであろう。
【００１６】
好適な実施形態の詳細な説明
図面についてさらに詳細に述べるが、本発明の原理に従って構成されたイメージングシステム例１００が図１に示されている。本発明のこのイメージングシステム１００は、キレがよく鮮明でイメージングオフセットのないカラー写真複写などの画像を生成するためのハードウェアとソフトウェアを含む。
【００１７】
この説明の便宜上、イメージングシステム内のイメージングオフセットを補償するための本発明の方法とシステムの実施形態例が電子写真（ＥＰＧ）システムについて詳細に説明されている。しかしながら、本発明の方法とシステムが、レーザ、インクジェット、トナージェット、バブルジェット（登録商標）、そしてその他の画像作成技術など、様々なイメージング技術を組み入れたイメージングシステムに広く適用可能であることがわかっている。
【００１８】
イメージングシステム例１００は、ハウジング１０４に密閉された電子写真（ＥＰＧ）サブシステム１０２を含む。電子写真サブシステム１０２とハウジング１０４を組み合わせて、プリンタ（単色または多色）、複写機（単色または多色）、スキャナー、またはこれらの装置の組合せであるあらゆる画像形成システムなど、イメージングシステム１００のさまざまな実施形態を構成してもよい。この説明の便宜上、イメージングシステム１００は、図１の多色プリンタとして示されている。
【００１９】
電子写真（ＥＰＧ）サブシステム例１０２は、外面１０８と内面１１０とを有する柔軟で透明な受光ベルト１０６を含む。受光ベルト１０６は、連続した経路をローラ１１２ａと１１２ｂによって速度ｖで矢印Ａの方向に駆動される。１つの実施形態では、受光ベルト１０６は、下記に詳細に説明されるように画像が形成される基板である。この経路の一部分に沿って、複数の印刷ステーション１１４ａ、１１４ｂ、１１４ｃ、．．．、１１４ｎが配置される。例えば、図１には４つの印刷ステーション１１４が示されている。但し、プリンタステーションの数は、単色電子写真システムの場合の単一のプリンタステーションなど、本発明の他の実施形態では変動する場合があることを理解されたい。
【００２０】
各印刷ステーション１１４は、それぞれ、受光ベルト１０６の外面１０８上に、重なり合った関係で異なる色の画像を生成する。代替的な実施形態、例えば、１つの印刷ステーションが使用されるものでは、４つの印刷ステーションが使用された場合のように一つの印刷ステーションに一度だけ通すのではなく、受光ベルト１０６を単一の印刷ステーションに４回通すことによって、それらの色（例えばイエロー、マゼンタ、シアン、およびブラック）を重ね合わせてさまざまな色の画像を生成してもよい。当業者は、カラー画像を作成するために色々な数の印刷ステーションを使用することができ、それに伴って受光ベルト１０６のパス数だけを変えればよいことを理解するであろう。
【００２１】
印刷ステーション１１４ａ〜１１４ｎはそれぞれ、受光ベルト１０６の外面１０８に隣接してあるいはその近くに配置されたコロナ荷電ユニット１１６ａ、１１６ｂ、１１６ｃ、．．．、１１６ｎを含む。この荷電ユニット１１６は、均一な電荷をベルト１０６に加える。各荷電ユニット１１６の下流にはレーザまたはＬＥＤプリンタヘッド（ＬＰＨ）などの光源１１８ａ、１１８ｂ、１１８ｃ、．．．、１１８ｎが配置されている。光源１１８は、受光ベルト１０６の内面１１０またはその近くに配置される。光源１１８は、単色画像に対応する光を受光ベルト１０６上に投影し、それによって外面１０８上の適切な位置において荷電ユニット１１６により提供される均一な静電荷を放電して静電荷画像を生成するために選択的に作動されるＬＥＤなどの露光ユニットを含む。
【００２２】
本発明の１つの特定の実施形態に従って、イメージングシステム例１００は、解放自在に電子写真（ＥＰＧ）サブシステム１０２と係合でき、従って電子写真サブシステム１０２から取り外し可能となるよう構成された電子写真モジュール１２０を含む。取り外し可能な電子写真モジュール１２０は、受光ベルト１０６、ローラ１１２、および光源１１８を含んでいてもよい。モジュール例１２０はまた、イメージングシステム１００からの電子写真モジュール１２０の取り外しを容易にするためのハンドル（図示されていない）も含んでいてもよい。取り外し自在に構成された電子写真モジュール１２０は、電子写真サブシステム１０２の容易な保守、および必要に応じた他の電子写真モジュールとの交換を可能にする。交換電子写真モジュールは、交換する電子写真モジュール１２０と同一であってもよく、あるいは代替実施形態において、異なる数またはタイプの光源、異なるタイプの受光ベルト、または様々なローラを含んでいてもよい。さらに、急速に進歩する技術に照らして、取り外し可能な電子写真モジュール１２０を使用すれば、エンドユーザは、高品質、高速、高解像度等々の新開発モジュールにアップグレードすることができる。
【００２３】
図２Ａをさらに参照すると、各光源１１８は、線形なアレイに構成された複数の露光ユニット１２２ａ、１２２ｂ、１２２ｃ、．．．、１２２ｍを含んでいてもよい。露光ユニット１２２は、形成する画像に対応しまた矢印Ａが示すように露光ユニット１２２に隣接して移動する受光ベルト１０６（図２Ａには図示されていない）に入射する光を発するよう選択的に作動される。発せられた光は、受光ベルト１０６を通過し、受光ベルト１０６の外面１０８の適切な位置で荷電ユニット１１６により提供される均一な正電荷を放出することによって形成される画像を受光ベルト１０６に露光する。潜像として知られる荷電パターンは、受光ベルト１０６の外面１０８上に形成される。
【００２４】
各光源１１８の露光ユニット１２２は理想的に位置合わせされ、図２Ａに示すように位置合わせ範囲Ｒ内で線形な構成となっている。作動時、位置合わせされた露光ユニット１２２は、それぞれ、それに対応して位置合わせされたドット１２４ａ、１２４ｂ、１２４ｃ、．．．、１２４ｍを、図２Ｂに示すように移動受光ベルト１０６上に生成する。各ドット１２４は、受光ベルト１０６上の電気的に放電された領域である。ドット１２４の集合的な配置は、紙に印刷する画像の潜像を定義する。図２Ｂは、ドット１２４が露光される位置合わせ範囲Ｒ’の中で完全に整列され線形な理想的なドット位置１２４ａ、１２４ｂ、１２４ｃ、．．．、１２４ｍを示し、従ってイメージングオフセットを被っていない。
【００２５】
実際は、露光ユニット１２２は、図２Ａに示すように完全には位置合わせされておらず、図３Ａに示すように位置がずれている。上記のように、イメージングオフセットは、露光ユニット１２２の位置のずれから起こる。図３Ａの露光ユニットは任意の数が位置合わせ不良であり、位置合わせオフセットＬだけ位置合わせ範囲Ｒからオフセットされている。露光ユニット１２２が補償なしに作動される場合、位置合わせ不良の露光ユニット１２２は、それに応じて、図３Ｂに示すように、理想的なドット位置と露光位置合わせ範囲Ｒ’からオフセットされたドットを生成する。このオフセットはイメージングオフセットとして知られる。説明の便宜上、これらの露光ユニット１２２はそれぞれ、露光ユニットのアレイ内の各露光ユニットの物理的位置として定義される露光ユニット位置を有する。
【００２６】
説明の便宜上、イメージングオフセットＯは、図２Ｂに示す理想的なドット位置と図３Ａの位置合わせ不良の露光ユニットによって露光された位置との間の距離である。このオフセットと非補償ドット位置は図３Ｂに示され、また下付文字「ｏ」を有する参照番号１２４によって示されている。例えば、イメージングオフセット０（ｂ）は、未補償のドット１２４ｂｏが露光位置合わせ範囲Ｒ’から、またそれに対応する理想的なドット位置１２４ｂｉからオフセットされた距離である。各イメージングオフセットＯは、それぞれの未補償で位置合わせ不良の露光ユニット１２２の位置合わせオフセットＬに対応しそれによって発生する。
【００２７】
図３Ａに示すように、位置合わせオフセットＬはそれぞれ大きさと方向を有する。説明の便宜上、図３の矢印Ｐおよび矢印Ｎによってそれぞれおよびプラス（＋）の方向とマイナス（−）の方向が定義されている。例えば、露光ユニット１２２ｂの位置合わせオフセットＬ（ｂ）はプラス（＋）方向に｜Ｌ（ｂ）｜の大きさを有するのに対して、露光ユニット１２２（ｍ−１）の位置合わせオフセットＬ（ｍ−１）はマイナス（−）の方向に｜Ｌ（ｍ−１）｜の大きさを有する。位置合わせオフセットＬのこの大きさと方向の規則は、ここではイメージングオフセットＯに同じように用いられる。
【００２８】
上記に照らして、位置合わせオフセットＬが補償されない場合には、図３Ａの位置合わせ不良の露光ユニット１２２は、図３Ｂの未補償のドット１２４ｏを生成する。本発明に従って、位置合わせ不良の露光ユニット１２２の各位置合わせオフセットＬが補償され、従って、下記に詳述するように、図３Ｃに示す露光位置合わせ範囲Ｒ’内で、補償されたドット１２４ｃを生成する。
【００２９】
本発明に従って、イメージングオフセットは、各露光ユニット１２２ａ、１２２ｂ、１２２ｃ、．．．、１２２ｍについて理想的なドット位置１２４ａｉ、１２４ｂｉ、１２４ｃｉ、．．．、１２４ｍｉをまず最初に決定することにより矯正される。これは、製造プロセスまたは製造後プロセス中の任意の時に行ってよい。理想的なドット位置１２４ｉが決定されると、これは次にイメージシステム１００の記憶装置に格納するか、あるいは離れた位置から（例：ネットワーク接続などによって）イメージングシステムに通信してもよい。イメージングオフセットを矯正する上でのその後のステップは、各露光ユニット１２２について理想的なドット位置１２４ｉと未補償のドット位置１２４ｏとの間のイメージングオフセットＯ（ａ）、Ｏ（ｂ）、Ｏ（ｃ）、．．．、Ｏ（ｍ）の大きさと方向を決定することである。
【００３０】
各露光ユニット１２２によって作られたイメージングオフセットＯは、光源１１８、電子写真（ＥＰＧ）サブシステム１０２、またはイメージシステム全体１００の製造時に決定してもよい。製造段階で実行される場合、イメージングオフセットＯは、まず最初に露光ユニット１２２の各位置を既知の理想的な位置合わせ範囲に比較して位置合わせオフセットＬを決定することによって決定してもよい。次に、位置合わせオフセットＬからイメージングオフセットＯをそれぞれ決定してもよい。各イメージングオフセットＯの大きさは、以下のように、各位置合わせオフセットＬの大きさに直接的にあるいは比例的に対応してもよい。
｜Ｏ（ｘ）｜ ＝ ｋ｜Ｌ（ｘ）｜
ただし、ｋはゼロより大きい比例定数であり、ｘは１〜ｍの整数である（図２と図３の複数の露光ユニット１２２ａ〜１２２ｍによって例示されるように）。比例定数ｋは、この複数の露光ユニット１２２について一定であってもよく、あるいは各露光ユニット１２２について一意の値を有していてもよい。各イメージングオフセットＯの方向は、各位置合わせオフセットＬのそれに直接対応する。
【００３１】
大きさと方向を決定した後、それぞれのドットのイメージングオフセットの補償は、未補償のドット位置１２４ｏを理想的なドット位置１２４ｉに一致させることによって達成される。図２Ａの理想的に位置合わせされたアレイでは、各露光ユニット１２２が理想的な作動時間に作動されて図２Ｂの理想的なドット位置１２４ｉが得られる。ある実施形態例では、時間係数Δｔが、電子写真（ＥＰＧ）サブシステム１０２に、特に、そのイメージングオフセットＯによって各露光ユニット１２２の理想的な作動時間を修正するよう、光源１１８に組み込まれる。
【００３２】
より具体的には、受光ベルト１０６が既知の速度ｖで矢印の方向に移動し、また各露光ユニット１２２のイメージングオフセットの大きさと方向が知られていることから、露光ユニット１２２ｘの時間係数Δｔは以下により決定してもよい。
Δｔ（ｘ） ＝ Ｏ（ｘ） ÷ ｖ
各イメージングオフセットＯの大きさは、各露光ユニット１２２の理想的な作動時間を修正するための時間の量ｔを決定するのに対して、各イメージングオフセットＯの方向は、露光ユニット１２２がその理想の作動時間より早くまたは遅くに作動されるかどうかを決定する。
【００３３】
例えば、露光ユニット１２２ｂのイメージングオフセットＯがプラス（＋）方向に０．１ｍｍの大きさを有し、また受光ベルト１０６の速度ｖが１００ｍｍ／秒である場合には、露光ユニット１２２ｂの時間係数Δｔは以下のとおりである。
Δｔ（１２２ｂ） ＝ （０．１ｍｍ） ÷ （１００ｍｍ／ｓ） ＝ ０．００１ｓ＝１ｍｓ
【００３４】
さらに、露光ユニット１２２（ｍ−１）のイメージングオフセットＯがマイナス（−）方向に０．０８ｍｍの大きさを有する場合には、露光ユニット１２２（ｍ−１）の時間係数Δｔは以下のようになる。
Δｔ［１２２（ｍ−１）］ ＝ −（０．０８ｍｍ） ÷ （１００ｍｍ／ｓ） ＝ −０．００８ｓ ＝ −０．８ｍｓ
したがって、受光ベルト１０６が露光ユニット１２２のアレイのそばを通過するとき、露光ユニット１２２（ｍ−１）は理想的な作動時間よりも０．８ｍｓ早く作動してイメージングオフセットＯ（ｍ−１）を補償し、露光ユニット１２２ｂは理想的な作動時間よりも１ｍｓ遅く作動してイメージングオフセットＯ（ｂ）を補償する。つまり、各露光ユニット１２２の時間係数Δｔは、各露光ユニット１２２のイメージングオフセットＯの方向を示す記号（つまり、プラスまたはマイナスのいずれか）を有するのである。
【００３５】
この理想的な作動時間からのこの前作動と後作動により、図３Ｃに示す露光位置合わせ範囲内に位置合わせされた、各補償済みドット１２４ａｃ、１２４ｂｃ、１２４ｃｃ、．．．、１２４ｍｃが得られる。補償済みドット１２４ｃは、高解像度と鮮明性をもってイメージングシステム１００によってシート材上に形成される画像となる。さらに、多色イメージングシステムでは、各補償済みドットが正しく重ね合わせられて真正色となる。イメージングオフセットＯの補償は、以下により完全に説明されるとおり、ファームウェアまたはソフトウェアを使用して達成してもよい。
【００３６】
時間係数は、上記の時間の量でなく、露光範囲Ｒ’内でドットを生成するために露光ユニット１２２を作動させる定数τとして計算してよい。例えば、露光ユニット１２２がｔｃで表される補償のために作動される時間は、時間定数τと理想的な作動時間ｔｉとの積として次のように表現することもできる。
ｔｃ ＝ τ × ｔｉ
【００３７】
本発明の代替イメージオフセット補償の実施形態は、図４Ａと４Ｂを参照して説明される。露光ユニット１２２は、図３Ａについて上記のものと類似しているが、オフセットＬ分、位置合わせ範囲Ｒに対して位置がずれている。したがって、位置合わせ不良の露光ユニット１２２は、補償せずに作動されると、それに相応して図４Ｂに示すように理想的なドット位置および露光位置合わせ範囲Ｒ’からオフセットされたドットを生成する。
【００３８】
この実施形態例によれば、上記のように、プラス（＋）オフセットまたはマイナス（−）オフセットのいずれかを有する各露光ユニットで位置合わせ範囲Ｒを固定するのではなく、位置合わせ範囲Ｒは、プラス方向に最大の大きさを有する位置合わせオフセットＬを有する露光ユニットなど、露光ユニット１２２のうちのひとつの位置に調整または正規化される。図４Ａに示す例では、このような露光ユニットは露光ユニット１２２ｂまたは１２２ｍのいずれかによって例示される。したがって、各位置合わせオフセットＬは大きさを有する。各位置合わせオフセットＬの方向はマイナスと想定される。同様に、各露光ユニットの時間係数Δｔは常にマイナスである。つまり、この時間係数は、常に、露光ユニット１２２を作動してイメージングオフセットＯを補償し、それによって図４Ｃに示す露光範囲Ｒ’内に補償済みドット１２４ｃを生成するときの時間遅延である。
【００３９】
上記のように製造段階でイメージングオフセットＯを補償するのではなく、露光ユニット１２２が電子写真（ＥＰＧ）サブシステム１０２に組み込まれた後で補償が行われてもよい。本発明のこの実施形態では、イメージングオフセットは、製造が行われている間に、電子写真サブシステム１０２の単一補償の工程において補償される。さらに具体的には、露光ユニットが製造され光源１１８の中に（あるいは電子写真モジュール１２０または電子写真サブシステム１０２の中に）組み込まれた後、製造業者は上記の補償方法を実施して、単一補償手順時のイメージングオフセットを補償する。
【００４０】
本発明の別の実施形態では、露光ユニット１２２が多色プリンタなどのイメージングシステム１００の中に組み込まれた後のイメージングオフセットを補償する。イメージングシステム１００の製造後にイメージングオフセット補償が行われる場合、いくつかの補償手順が利用できる。特に、上記の本発明の補償方法を実行して、イメージングシステム１００、電子写真（ＥＰＧ）サブシステム１０２、光源１１８、または電子写真モジュール１２０の寿命全体に渡って、イメージングオフセットを補償することができる。このため、イメージングシステム１００の構成部品に製造後の損傷が発生して位置合わせ不良の露光ユニットができる場合には、そのイメージングシステム１００はソフトウェアまたはファームウェアと通信して、局所的に（つまり、電子写真サブシステム１０２、電子写真モジュール１２０、または光源１１８の内部で）、または離れた位置から（つまり、インターネットなど、イメージングシステム１００に接続されたデータネットワークを介して）、この補償方法を実行してもよい。
【００４１】
更なる実施形態によれば、イメージングオフセットは、イメージングシステム１００内で物理的に決定される必要はない。この実施形態では、イメージングシステム１００は、通信媒体を介してローカルエリアネットワーク（ＬＡＮ）、ワイドエリアネットワーク（ＷＡＮ）、またはインターネットなどのネットワークに接続される。この補償方法を実行するソフトウェアは、イメージングシステム１００、電子写真（ＥＰＧ）サブシステム１０２、電子写真モジュール１２０、または光源１１８内部に格納されていてもよいが、このようなソフトウェアまたはファームウェアは、リモートに配置して、得られたイメージングオフセットの補償がデータネットワークを介してイメージングシステム１００に送信されてもよい。
【００４２】
代替的な実施形態によれば、データネットワークを使用してイメージングシステム１００、電子写真（ＥＰＧ）サブシステム１０２、電子写真モジュール１２０、または光源１１８の特定識別情報をリモートロケーションに伝達して、それによってその特定構成要素固有のイメージングオフセットデータを受信してもよい。したがって、イメージングシステム１００とそのすべての構成要素は、電子写真サブシステム１０２などの構成要素を明確に識別するシリアル番号などの一意の識別情報をもっていてもよい。購入後、イメージングシステム１００をネットワークに接続して、特定の電子写真サブシステム１０２のイメージングオフセットデータが格納されるコンピュータシステムを有するリモートロケーションに識別情報が送信できるようにしてもよい。このリモートコンピュータシステムは、一意の識別情報を受信した時点で、その識別情報に対応するイメージングオフセットデータを電子写真サブシステム１０２に送信してそのイメージングオフセットを補償してもよい。この実施形態は、電子写真サブシステム１０２または電子写真モジュール１２０が、その一意の識別情報に対応する様々なイメージングオフセットデータを有する他のそのようなユニットによって置き換えられたときに特に有益である。
【００４３】
本発明のイメージングオフセット補償方法は、各露光ユニットの距離と方向（必要な場合）などのオフセットを決定するための装置と方法を利用して具現化してもよい。さらに、ドット位置を理想的なドット位置に一致させるための装置または方法を採用してもよい。
【００４４】
本発明の原理に従って構成されたイメージングオフセット補償ユニットの１つのハードウェア実施形態例が図５に参照番号１３０で示されている。補償ユニット例１３０は、４個のＤフリップフロップ１３２ａ、１３２ｂ、１３２ｃ、および１３２ｄなどの複数のフリップフロップ１３２と４×１マルチプレクサ１３４を含む。一般的に、各フリップフロップ１３２のポートＤＯは、後のフリップフロップのポートＤＩとマルチプレクサ１３４の入力に接続されている。フリップフロップ１３２のＣＫ入力は、未補償のイメージデータ（Ｄｎ）をフリップフロップ１３２の中へ移動させるのに使用されるＬｓｙｎｃライン１３７に結合される。「Ｄｎ」は、この未補償のイメージデータが適切な露光ユニット１２２のｎ番目の位置に配置されることを意味する。
【００４５】
補償装置例１３０は、各露光ユニット１２２のイメージングオフセットに対応する時間係数に従って、受光ベルト１０６上に集合的に潜像を形成するドットの形成を遅延させることのできる遅延装置として機能する。上記の時間係数は、画素線のユニットを表す。例えば、時間係数が２であれば、画素線２本のユニットを表す。図５において参照番号１３６で示されるＯＦＦＳＥＴ線１ｎと０ｎは、遅延させる画素線の数を制御する。図５の実施形態例では、最大３本までの遅延画素線が提供される。他の実施形態の例では、これよりも多い遅延画素線が提供される。例えば、１つの代替的な実施形態の補償ユニット１３０は、３本のＯＦＦＳＥＴ線、８個のＤフリップフロップ、８入力１出力のマルチプレクサを含み、最大７本の遅延画素線を提供する。
【００４６】
動作時、Ｌｓｙｎｃ線１３７は、画素線によって各フリップフロップ１３２ａ、１３２ｂ、１３２ｃ、１３２ｄの中にデータＤｎを順次シフトするようにしてもよい。データＤｎは、線１３６上のＯＦＦＳＥＴ信号によって定義される露光ユニットのひとつのイメージングオフセットＯに対応する時間係数によって、フリップフロップ１３２ａ、１３２ｂ、１３２ｃ、１３２ｄの中へ記録される。上記のとおり、この時間係数は、露光ユニットによるドットの形成を遅延させるのに必要な時間に対応している。例えば、形成するドットが係数１によって遅延されるのが望ましい場合、線１３６はこの係数を示す信号をマルチプレクサ１３４に送信する。すると、このマルチプレクサは、この信号を線１３８とポートＩ１に振り向ける。フリップフロップ１３２ｂは、線１３９上の信号を係数１だけ遅延させ、その後にこの信号を線１４０からマルチプレクサ１３４に戻す。マルチプレクサ１３４は次に遅延信号をポートＯと、露光ユニットの入力に接続された線１４２とに出力する。この遅延信号は露光ユニットを作動させて、受光ベルト１０６上に補償済みドットを形成する。形成するドットが２以上の係数によって遅延されることが望ましい場合は、線１３６上の信号が対応遅延係数用の適切なフリップフロップ１３２を選択して、ドットの形成を正しく遅延させる。他の実施形態の例では、ドット位置を理想的なドット位置に一致させる機能を実行する他のタイプのファームウェアが使用される。
【００４７】
他の実施形態では、イメージングオフセットＯを決定しドット位置を理想的なドット位置に一致させるのにプロセッサとともにあるいはコンピュータシステムの一部としてソフトウェアを使用してもよい。このソフトウェアは、磁気媒体、光媒体、ＤＶＤ、ＣＤ−ＲＯＭ、ＲＡＭ、ＥＰＲＯＭ、ＥＥＰＲＯＭ、またはデータまたは命令の格納に適切なその他のタイプの媒体など、任意のタイプの記憶デバイス上に格納してもよい。このソフトウェアはまた、コンピュータコードによって、オフセットを受け入れ、またそのオフセットによる画像の形成を遅延させることのできる遅延装置として機能してもよい。本発明の方法を具現化するハードウェアおよびソフトウェアはハウジング１０４の中、または、電子写真（ＥＰＧ）サブシステム１０２、光源１１８、または電子写真モジュール１２０上など、イメージングシステム１００の各構成要素上に配置してもよいことに留意する。あるいは、補償ソフトウェアまたはハードウェアはまた、ハウジング１０４の外部に配置してイメージングシステム１００と通信するものであってもよい。
【００４８】
図１の本発明の説明に戻って、イメージングシステム例１００は、紙または透明シートなどのシート材１５２を保持するためのサプライトレー１５０を含んでいてもよい。ローラ１５４は、サプライトレー１５０からシート１５２の一枚を取って、受光ベルト１０６上に形成された潜像がトナーでシートに移される転写ステーション１５６にシートを送る。定着機１５８は、トナーをシートに固定して、定着画像を有するシートを出力トレー１６０に移送する。
【００４９】
多色印刷では、受光ベルト１０６は、各色４画像をベルト１０６の外面１０８上に重なりあった関係で生成する４台の印刷ステーション１１４に通されて、ここで画像が合わさって潜像を形成する。この潜像は、ベルト１０６から転写ステーション１５６でシート材に転写される。クリーニングユニット１６２は、荷電ユニットのうちの最初のもの（つまり、ユニット１１６ａ）が通過する前に、受光ベルト１０６の外面１０８から残留現像剤およびトナーを除去する。
【００５０】
上記のとおり、イメージングオフセットＯと対応する補償係数を決定するためのソフトウェアおよび／またはハードウェアを含む補償モジュールは、イメージングシステム１００内の適切な場所に配置してもよい。例えば、参照番号１６４で示される補償モジュールは、１６４ａに示す電子写真（ＥＰＧ）モジュール１２０、１６４ｂに示す１つ以上の光源１１８、１６４ｃに示す電子写真サブシステム１０２、または１６４ｄに示すハウジング１０４の中に組み込んでもよい。上記のように、イメージングオフセットの補償の結果、多色画像に特に有益な、正しく位置合わせされた重ね合わせ合わせで鮮明で切れのよい画像が得られる。
【００５１】
補償モジュール１６４の実施形態の例は、図６にソフトウェアモジュールとして示されている。ソフトウェア補償モジュール例１６４は、図６の各ブロック上に記された機能を具現化するためのコードを含む。例えば、オフセットモジュール１７０は、大きさに関するコードやデータ、そして上記の方法に従ってイメージングオフセットＯを決定するための他のパラメータを含む。マッチングモジュール１７２は、未補償のドット位置をそれぞれの理想的なドット位置に一致させてイメージングオフセットを補償するためのコードを含む。通信モジュール１７４は、イメージングシステム１００と通信するためのコードを含む。これらの各ブロックによって表されるソフトウェアコードは、上記の記憶装置上に格納してもよく、またプロセッサまたはコンピュータシステムを使用して実行してもよい。
【００５２】
ソフトウェアモジュール例１６４は、本技術分野で知られたコンピュータ読み取り可能な媒体上に格納されるコンピュータ読み取り可能な複数の命令として構成してもよい。あるいは、コンピュータ読み取り可能な命令は、コンピュータシステム内にロードされたときに本発明の方法を実行するためにデータネットワーク上を送信される電子信号内に配置してもよい。電子信号は、データネットワークを介して、またはケーブル、衛星、セルラー式、あるいはその他の適切な送信手段によって送信してもよい。
【００５３】
本発明に従って構築された補償モジュールの例は、特に画像データの処理用に格納するイメージバッファについて、様々な構成を有する。例えば、図７Ａは、作成画像プロセス（「ＲＩＰ」）データなどの画像データが、補償モジュール１７７でデータを処理する前に画像バッファ１７６に格納される構成１７５を示す。図７Ａと７Ｂの両方において、画像データは、上記のソフトウェアおよび／またはハードウェア構成を使用して補償モジュール１７７によって補償される。図解の便宜上、オフセットモジュール１７０は、図６の構成とは反対に、補償モジュール１７７から分離された状態で示されている。
【００５４】
図７Ａでは、画像データは、補償モジュール１７７に渡される前にイメージバッファ１７６に格納される。イメージバッファ１７６の１つの実施例は、従来型ＰＣメモリである。画像データは、直接記憶アクセス（「ＤＭＡ」）を使用してイメージバッファ１７６に、そしてイメージバッファから転送されるのが好ましい。イメージデータは、イメージバッファ１７６へ格納された後、補償モジュール１７７によって抽出され、上記の技術を使用して補償される。補償モジュール１７７は、補償された画像データを、ＬＰＨなどの光源１７８に出力して、静電荷画像を生成する。図７Ｂの構成は、画像データが補償されてから画像バッファ１７６に格納されるよう、補償モジュール１７７がイメージバッファ１７６の反対側に位置することを除いて、図７Ａのそれに類似した機能を果たす。図７Ａと７Ｂの構成は、いずれのケースにおいても、補償モジュール１７７は光源１７８から隔てられているため有利である。こうすることにより、光源のコストは大きく低減される。
【００５５】
本発明の原理に従って構成されたコンピュータシステム１８０は、高レベルブロック図とともに図８に示されている。システム例１８０は、プロセッサ１８２とメモリ１８４を含む。プロセッサ１８２は、単一のマイクロプロセッサ、あるいはコンピュータシステム１８０をマルチプロセッサシステムとして構成するための複数のマイクロプロセッサを含んでいてもよい。メモリ１８４は、プロセッサ１８２によって実行されるための命令とデータを格納していてもよい。システム１８０内のソフトウェア実装の範囲によって、メモリ１８４は、動作時に実行可能コードを格納していてもよい。メモリ１８４は、例えば、ダイナミックランダムアクセスメモリ（ＤＲＡＭ）および高速キャッシュメモリのバンクを含んでいてもよい。
【００５６】
システム例１８０は、また、大容量記憶装置１８６、１台以上の周辺装置１８８、オーディオ装置１９０、１台以上の入力装置１９２、１台以上のポータブル記憶媒体駆動装置１９４、グラフィックスサブシステム１９６、ディスプレイ１９８、および１台以上の出力装置２００など、任意の組合せの追加装置を組み込んでもよい。わかりやすくするため、図８に示す構成部品は、単一のバス２０２によって接続されている。但し、これらの構成部品は、本技術分野で知られているとおり、１つ以上の通信媒体によって接続してもよい。例えば、プロセッサ１８２とメモリ１８４はローカルマイクロプロセッサバスによって接続してもよい。また大容量記憶装置１８６、周辺装置１８８、ポータブル記憶媒体駆動装置１９４、およびグラフィックスサブシステム１９６を、１つ以上の入力／出力（Ｉ／Ｏ）バスで接続してもよい。図８に示すように、光源１１８は、コンピュータシステム１８０と通信して露光ユニット１２２を時間係数に基づいて作動させる。
【００５７】
磁気または光ディスクドライブとして具現化される大容量記憶装置１８６は、プロセッサ１８２が使用するためのデータおよび命令を格納するための不揮発性記憶装置であるのが好ましい。大容量記憶装置１８６は、クライアント／サーバ情報、本発明の方法を実行するためのコード、そしてプロセッサ用のコンピュータ命令を格納してもよい。本発明の各方法を具現化するためのコンピュータ命令もプロセッサ１８２に格納してもよい。
【００５８】
携帯可能な記憶媒体駆動装置１９４は、コンピュータシステム１８０との間のデータとコードの入出力を行うための、フロッピーディスク（フロッピーは登録商標）やその他のコンピュータ読み取り可能な媒体など、携帯可能な不揮発性記憶媒体とともに動作してもよい。１つの実施形態例では、本発明の方法が、そうした携帯可能な媒体上に格納され、ポータブル記憶媒体駆動装置１９４によってコンピュータシステム１８０に入力されるコンピュータ命令を使用して具現化される。
【００５９】
周辺装置１８８は、入力／出力（Ｉ／Ｏ）インタフェースなど、コンピュータシステム１８０に追加機能を追加するための任意のタイプのコンピュータ支援装置を含んでいてもよい。例えば、周辺装置１８８は、コンピュータシステム１８０をネットワーク、モデムなどに接続するためのネットワークインタフェースカードを含んでいてもよい。
【００６０】
入力装置１９２は、ユーザインタフェースの一部を提供し、英数字キーボード、またはマウス、トラックボール、ペン、またはカーソル方向キーなどのポインティングデバイスを含んでいてもよい。このような装置は、カスタマイズされた媒体リストおよび本発明のカスタマイズされた媒体と接続するための追加手段を提供する。
【００６１】
グラフィックスサブシステム１９６とディスプレイ１９８は、システムの出力選択肢を提供する。ディスプレイ１９８は、ＣＲＴディスプレイ、液晶ディスプレイ（ＬＣＤ）、またはユーザがカスタマイズされた媒体リストまたは本発明のカスタマイズされた媒体を閲覧するのを可能にするその他の適切な装置を含んでもよい。グラフィックスサブシステム１９６は、テキストおよびグラフィック情報を受信し、次にその情報をディスプレイ１９８への出力用に加工してもよい。
【００６２】
オーディオ手段１９０は、周辺装置のマイクロホンから音声信号を受信するサウンドカードを含んでいてもよい。さらに、オーディオ手段１９０は、音声を処理するためのプロセッサを含んでいてもよい。出力装置２００は、スピーカ、プリンタなどの適切な出力装置を含んでいてもよい。
【００６３】
コンピュータシステム例１８０の各構成要素は、本技術分野でよく知られた幅広いカテゴリのコンピュータ構成部品を表すよう意図されている。コンピュータシステム例１８０は、本発明の各方法を具現化するのに使用できる１つのプラットフォームである。他にも、マッキントッシュベースのプラットフォーム、異なるバス構成を有するプラットフォーム、ネットワーク化されたプラットフォーム、マルチプロセッサのプラットフォーム、他のパーソナルコンピュータ、ワークステーション、メインフレーム、ナビゲーションシステム等々、数多くのプラットフォームでも大丈夫である。
【００６４】
本発明は実施形態例の点から説明されてきたが、当業者には上記の実施形態についての数多くの変形および／または追加が容易に明らかになるであろう。本発明の範囲がそのようなすべての変形および／または追加に及ぶこと、そして本発明の範囲が以下の請求項によってのみ制限されることが、意図されている。
【図面の簡単な説明】
【図１】本発明の原理に従って構成された電子写真（ＥＰＧ）システムの実施形態例の概略図である。
【図２Ａ】理想的に位置合わせされた露光ユニットのアレイの概略図である。
【図２Ｂ】図２Ａの露光ユニットによって露光された、理想的に位置合わせされたドットの概略図である。
【図３Ａ】位置合わせ不良の露光ユニットのアレイの概略図である。
【図３Ｂ】イメージングオフセットのある図３Ａの露光ユニットによって露光されたドットの概略図である。
【図３Ｃ】本発明の原理に従って補償された、位置合わせされたドットの概略図である。
【図４Ａ】理想的な位置合わせ範囲について位置合わせ不良のある露光ユニットのアレイの概略図である。
【図４Ｂ】イメージングオフセットのある図４Ａの露光ユニットによって露光されたドットの概略図である。
【図４Ｃ】本発明の原理に従って補償された、位置合わせされたドットの概略図である。
【図５】本発明の遅延装置の実施形態例の回路略図である。
【図６】本発明の原理に従って構成されたソフトウェアモジュールのブロック図である。
【図７Ａ】本発明の原理に従って、画像データが画像バッファに格納された後に補償機能が実行されるよう構成されたソフトウェアモジュール例のブロック図である。
【図７Ｂ】本発明の原理に従って、画像データが画像バッファに格納される前に補償機能が実行されるよう構成されたソフトウェアモジュール例のブロック図である。
【図８】本発明の補償方法を具現化するためのコンピュータシステム例のブロック図である。
【図１】
2004513814.tif 000003
【図２Ａ】
2004513814.tif 000004
【図２Ｂ】
2004513814.tif 000005
【図３Ａ】
2004513814.tif 000006
【図３Ｂ】
2004513814.tif 000007
【図３Ｃ】
2004513814.tif 000008
【図４Ａ】
2004513814.tif 000009
【図４Ｂ】
2004513814.tif 000010
【図４Ｃ】
2004513814.tif 000011
【図５】
2004513814.tif 000012
【図６】
2004513814.tif 000013
【図７Ａ】
2004513814.tif 000014
【図７Ｂ】
2004513814.tif 000015
【図８】
2004513814.tif 000016
【国際公開パンフレット】
2004513814.tif 000017
2004513814.tif 000018
2004513814.tif 000019
2004513814.tif 000020
2004513814.tif 000021
2004513814.tif 000022
2004513814.tif 000023
2004513814.tif 000024
2004513814.tif 000025
2004513814.tif 000026
2004513814.tif 000027
2004513814.tif 000028
2004513814.tif 000029
2004513814.tif 000030
2004513814.tif 000031
2004513814.tif 000032
2004513814.tif 000033
2004513814.tif 000034
2004513814.tif 000035
2004513814.tif 000036
2004513814.tif 000037
2004513814.tif 000038
2004513814.tif 000039
2004513814.tif 000040
2004513814.tif 000041
2004513814.tif 000042
2004513814.tif 000043
2004513814.tif 000044
2004513814.tif 000045
2004513814.tif 000046
2004513814.tif 000047
2004513814.tif 000048
2004513814.tif 000049
2004513814.tif 000050
2004513814.tif 000051
2004513814.tif 000052
2004513814.tif 000053
【国際調査報告】
2004513814.tif 000054